(57)【要約】【課題】より確実に消火を行うことが可能であり、特に、油脂火災における初期消火性に効果がある消火用具を提供する。【解決手段】底部（１１ａ）は、火元に投入されて加熱されることにより溶ける物質で形成される。また、消火剤（１３ａ），（１３ｂ）は液状の消火剤である。スリッパ（１０ａ）が火元に投入されて加熱されると、底部（１１ａ）が溶けることによって、液状の消火剤（１３ａ），（１３ｂ）が油の表面などに分散して放散される。火災が発生すると、スリッパ（１０ａ）を履く人は、元々履いているスリッパ（１０ａ）を脱いで火元に投入するだけで消火を行うことができる。よって、保管場所を忘れてしまう恐れがなく、より確実に消火を行うことが可能であり、特に、油脂火災における初期消火性に効果がある。【選択図】図１
2013244179.tif 000002
【特許請求の範囲】
【請求項１】
消火剤を収納する収納部を備え、
人が身に着ける物に含まれる、消火用具。
【請求項２】
前記収納部は単独で取り外すことができる、請求項１に記載の消火用具。
【請求項３】
前記人が身に着ける物は履物である、請求項１または２に記載の消火用具。
【請求項４】
前記消火剤はクッション性を有する、請求項３に記載の消火用具。
【請求項５】
単独で取り外すことができる前記収納部は履物の踵である、請求項２から４のいずれかに記載の消火用具。
【発明の詳細な説明】
【技術分野】
【０００１】
この発明は、消火用具に関する。
【背景技術】
【０００２】
消火で用いられる消火器は、重量があると共に操作の手順が難しいため、特に、火災で気持ちが動揺しているときには正確に操作することが困難であった。このような問題を解消するために、火元に直接投げ入れることで簡単に消火を行うことができる消火用具が、例えば、特開２００３−１１７０１６号公報（特許文献１）、特開平１１−１６９４７７号公報（特許文献２）、特開平１０−８０５０２号公報（特許文献３）、および特開２０１１−２５０００号公報（特許文献４）などに開示されている。
【０００３】
特許文献１は、消火剤が収容される合成樹脂フィルムからなる袋体と、これを覆うアルミニウム箔の層を有する外装体とを備えた消火用具を開示している。
【０００４】
特許文献２は、粉末の消火剤を手投げできる大きさの球状または角状に形成したものの表面を火災時の熱または温度によって溶解または分解する物質の薄膜で覆う構造にした消火用具を開示している。
【０００５】
特許文献３は、消火剤をポリエチレンなどの合成樹脂製の厚みの薄い袋に密封状態で入れ、この袋を下側本体部と上側本体部からなって上下に２分割できる消火器具本体部の内部に収納するように構成した消火用具を開示している。
【０００６】
特許文献４は、消火剤を封入した容器と発泡剤を封入した発泡剤室を設け、発泡剤室を破壊する発泡剤室破壊手段を押圧手段で押圧するという簡単な操作で発泡剤室破壊手段を作動させて発泡剤室を破壊して発泡剤を容器内に投入して内圧を上昇させて自己破裂可能とする消火用具を開示している。
【先行技術文献】
【特許文献】
【０００７】
【特許文献１】特開２００３−１１７０１６号公報
【特許文献２】特開平１１−１６９４７７号公報
【特許文献３】特開平１０−８０５０２号公報
【特許文献４】特開２０１１−２５０００号公報
【発明の概要】
【発明が解決しようとする課題】
【０００８】
従来の消火用具は上記のように構成されていた。しかしながら、いずれの消火用具も保管場所を忘れてしまう恐れがあり、消火が間に合わなくなるという問題があった。
【０００９】
この発明は上記のような問題点を解消するためになされたものであり、より確実に消火を行うことが可能であり、特に、油脂火災における初期消火性に効果がある消火用具を提供することを目的とする。
【課題を解決するための手段】
【００１０】
この発明に係る消火用具は、消火剤を収納する収納部を備え、人が身に着ける物に含まれる。
【００１１】
好ましくは、収納部は単独で取り外すことができる。
【００１２】
さらに好ましくは、人が身に着ける物は履物である。
【００１３】
さらに好ましくは、消火剤はクッション性を有する。
【００１４】
さらに好ましくは、単独で取り外すことができる前記収納部は履物の踵である。
【発明の効果】
【００１５】
この発明においては、消火用具を人が身に着ける物に含めるようにしたため、保管場所を忘れる恐れがない。その結果、より確実に消火を行うことが可能であり、特に、油脂火災における初期消火性に効果がある消火用具を提供できる。
【図面の簡単な説明】
【００１６】
【図１】この発明の第１の実施の形態に係る消火用具をスリッパ１０ａに適用した場合について示す側面図である。
【図２】図１で説明した第１の実施の形態の変形例について示す側面図である。
【図３】この発明の第２の実施の形態に係る消火用具をミトン２０に適用した場合について示す側面図である。
【発明を実施するための形態】
【００１７】
（１）第１の実施の形態
以下、この発明の第１の実施の形態を図面を参照して説明する。図１は、この実施の形態に係る消火用具をスリッパ１０ａに適用した場合について示す側面図である。図１を参照して、スリッパ１０ａは、人が足を載置する底部１１ａと、人の足の甲を覆う甲部１２とで構成される。底部１１ａは自身の内部に、図中斜線で示した消火剤１３ａ，１３ｂを収納する図中点線で示した収納部１４ａ，１４ｂを備える。
【００１８】
底部１１ａは、火元に投入されて加熱されることにより溶けると共に人が履いて体重が掛かっても壊れない物質で形成される。この物質はポリエチレンであってもよい。また、消火剤１３ａ，１３ｂは液状の消火剤である。この液状の消火剤１３ａ，１３ｂは、炭酸カリウムなどアルカリ性を呈するアルカリ金属塩若しくは中和剤を入れて中性化したものを含む水溶液であってもよい。なお、液状の消火剤１３ａ，１３ｂは、収納部１４ａ，１４ｂを防水加工して収納してもよいし、液体を通さない袋に入れて収納部１４ａ，１４ｂに収納してもよい。スリッパ１０ａが火元に投入されて加熱されると、底部１１ａが溶けることによって、液状の消火剤１３ａ，１３ｂが油の表面などに分散して放散される。
【００１９】
火災が発生すると、スリッパ１０ａを履く人は、元々履いているスリッパ１０ａを脱いで火元に投入するだけで消火を行うことができる。よって、保管場所を忘れてしまう恐れがなく、より確実に消火を行うことが可能であり、特に、油脂火災における初期消火性に効果がある。
【００２０】
なお、上記した第１の実施の形態において、底部１１ａが自身の内部に２か所の収納部１４ａ，１４ｂを備える場合について説明したが、これに限らず、１か所の収納部を備えるようにしてもよいし、３か所以上の収納部を備えるようにしてもよい。また、底部１１ａの内部全域に亘った１つの収納部を備えるようにしてもよい。
【００２１】
なお、上記した第１の実施の形態において、スリッパ１０ａ自身を火元に投入して消火を行う場合について説明したが、これに限らず、底部１１ａにファスナー、またはその他の物を用いて開閉する部分を設け、この開閉する部分を開いて消火剤１３ａ，１３ｂを火元に投入するようにしてもよい。
【００２２】
なお、上記した第１の実施の形態において、消火剤１３ａ，１３ｂは、液状の消火剤であり、炭酸カリウムなどアルカリ性を呈するアルカリ金属塩若しくは中和剤を入れて中性化したものを含む水溶液であってもよいとして説明したが、これに限らず、その他の液状の消火剤であってもよいし、粉末状、ジェル状、固形物、その他のどの様な消火剤であってもよい。なお、液状の消火剤としては例えば、特開２００５−２８８０５９号公報、特開２０１１−２５０００号公報、および特開２００５−２７７４２号公報などに開示のものが知られており、これらの文献に開示されている消火剤を用いてもよい。
【００２３】
図２は、図１で説明した第１の実施の形態の変形例について示す側面図である。図２を参照して、スリッパ１０ｂは、図１で説明したスリッパ１０ａが備える底部１１ａの踵に当たる部分および収納部１４ａ，１４ｂが無い底部１１ｂと、底部１１ａの踵に当たる部分に両面テープで接合された踵部１５とを備えることを除いて、第１の実施の形態で説明したスリッパ１０ａと同じであるため、該当部分には同じ番号を付し、同様の説明は省略する。
【００２４】
踵部１５は、スリッパ１０ｂの踵として機能すると共に、自身の内部に図中斜線で示した消火剤１３ｃを収納する図中点線で示した収納部１４ｃを備える。また、踵部１５は底部１１ｂから単独で取り外すことが可能である。また、踵部１５は図１で説明した底部１１ａと同様の物質で形成される。すなわち、火元に投入されて加熱されることにより溶けると共に人が履いて体重が掛かっても壊れない物質で形成され、この物質はポリエチレンであってもよい。
【００２５】
また、この第１の実施の形態の変形例では、消火剤１３ｃは、クッション性を有するジェル状の物質であり、踵部１５は消火剤１３ｃのクッション性を十分伝える物質であることが好ましい。ここでクッション性を有するとは、スリッパ１０ｂを履く人が受ける衝撃を吸収し、心地良い刺激を感じると共に疲れを軽減できるよう適度に弾性変形する性質を有することをいう。踵部１５が底部１１ｂから単独で取り外されて火元に投入され、加熱されて溶けることによって、ジェル状の消火剤１３ｃが放散される。
【００２６】
火災が発生すると、スリッパ１０ｂを履く人は、元々履いているスリッパ１０ｂが備える踵部１５を底部１１ｂから取り外して火元に投入するだけで消火を行うことができる。よって、保管場所を忘れてしまう恐れがなく、より確実に消火を行うことが可能であり、特に、油脂火災における初期消火性に効果がある。また、スリッパ１０ｂは、消火を行って踵部１５が無くなった後も、踵の部分が無い所謂ダイエットスリッパとして使用することが可能である。
【００２７】
なお、上記した第１の実施の形態の変形例において、踵部１５は、底部１１ｂの踵に当たる部分に両面テープで接合される場合について説明したが、これに限らず、面ファスナー、またはその他の物で接合されてもよい。
【００２８】
なお、上記した第１の実施の形態の変形例において、消火剤１３ｃは、ジェル状の消火剤であるとして説明したが、これに限らず、図１で説明した消火剤と同様の液状の消火剤であってもよいし、その他の液状の消火剤であってもよいし、粉末状、固形物、その他のどの様な物質の消火剤であってもよい。
【００２９】
なお、上記した第１の実施の形態においては底部１１ａが収納部１４ａ，１４ｂを備え、変形例においては踵部１５が収納部１４ｃを備える場合について説明したが、これに限らず、甲部１２や土踏まずに当接する部分が消火剤を収納する収納部を備えるようにしてもよい。この場合、甲部１２や土踏まずに当接する部分は、自身の内部に収納部を備えてもよいし、表面に取り付けられる形式で備えてもよい。また、甲部１２から単独で取り外すことができる収納部は、甲部１２の表面にクリップなどで取り付け可能なリボンなどの装飾品の内部に備えられてもよい。
【００３０】
なお、上記した第１の実施の形態においては底部１１ａが、変形例においては踵部１５がポリエチレンで形成されてもよいと説明したが、これに限らず、ビニル、フィルム、その他の火元に投入されて加熱されることにより溶けると共に人が履いて体重が掛かっても壊れない物質で形成されてもよい。
【００３１】
（２）第２の実施の形態
以下、この発明の第２の実施の形態を図面を参照して説明する。図３は、この実施の形態に係る消火用具を鍋つかみ用のミトン２０に適用した場合について示す図である。図３を参照して、ミトン２０は、図中斜線で示した消火剤２２を収納する図中点線で示した収納部２３を自身の内部に備えたミトン本体２１で構成される。
【００３２】
ミトン本体２１は、火元に投入されて加熱されることにより溶ける物質で形成され、この溶ける物質は図１で説明した底部１１ａ、および図２で説明した踵部１５と同様に、ポリエチレンであってもよい。また、消火剤２２は、粉末の炭酸ナトリウムであってもよい。ミトン２０が火元に投入されて加熱されると、ミトン本体２１が溶けることによって、消火剤２２が放散される。
【００３３】
火災が発生すると、ミトン２０をはめる人は、元々はめているミトン２０を外して火元に投入するだけで消火を行うことができる。よって、保管場所を忘れてしまう恐れがなく、より確実に消火を行うことが可能であり、特に、油脂火災における初期消火性に効果がある。
【００３４】
なお、上記した第２の実施の形態において、消火剤２２は、粉末の炭酸ナトリウムである場合について説明したが、これに限らず、炭酸水素ナトリウム、食塩、バーミキライト、パーライト、黒鉛、その他の粉末の消火剤であってもよいし、図１で説明した消火剤と同様の液状の消火剤であってもよいし、その他の液状の消火剤であってもよいし、ジェル状、固形物、その他のどの様な消火剤であってもよい。
【００３５】
なお、上記した第２の実施の形態において、収納部２３がミトン本体２１の内部に設けられる場合について説明したが、これに限らず、ミトン本体２１の表面に取り付けられてもよい。また、収納部２３がミトン本体２１から単独で取り外すことが可能であってもよい。
【００３６】
なお、上記した第２の実施の形態において、ミトン２０自身を火元に投入して消火を行う場合について説明したが、これに限らず、ミトン本体２１にファスナー、その他の物を用いて開閉する部分を設け、この開閉する部分を開いて消火剤２２を火元に投入するようにしてもよい。
【００３７】
なお、上記した第１の実施の形態およびその変形例では、この発明に係る消火用具をスリッパ１０ａ，１０ｂに適用し、第２の実施の形態ではミトン２０に適用した場合について説明したが、これに限らず、スリッパ以外の任意の履物、ミトン以外の任意の手袋、帽子、エプロン、その他の人が身に着ける物に適用してもよい。また、これらの人が身に着ける物自体を消火剤で形成してもよい。
【００３８】
なお、上記した実施の形態では、火元に投入されて加熱されることにより、底部１１ａ、踵部１５、ミトン本体２１が溶けて、消火剤１３ａ，１３ｂ，１３ｃ，２２が放散される場合について説明したが、これに限らず、火元に投入されて加熱されることにより膨張し、収納部１４ａ，１４ｂ，１４ｃ，２３内の各々の圧力を上昇させる成分を消火剤１３ａ，１３ｂ，１３ｃ，２２の各々に含め、この圧力上昇によって底部１１ａ、踵部１５、ミトン本体２１の各々が破裂し、消火剤１３ａ，１３ｂ，１３ｃ，２２の各々が放散されてもよい。
【００３９】
以上、図面を参照してこの発明の実施の形態を説明したが、この発明は、図示した実施の形態のものに限定されない。図示された実施の形態に対して、この発明と同一の領域内において、あるいは均等の領域内において、種々の修正や変形を加えることが可能である。
【産業上の利用可能性】
【００４０】
この発明に係る消火用具は、より確実に消火を行うことが可能であり、特に、油脂火災における初期消火性に効果があるため、消火用具として有利に利用される。
【符号の説明】
【００４１】
１０ａ，１０ｂ  スリッパ、１１ａ，１１ｂ  底部、１２  甲部、１３ａ，１３ｂ，１３ｃ、２２  消火剤、１４ａ，１４ｂ，１４ｃ、２３  収納部、１５  踵部、２０  ミトン、２１  ミトン本体
【図１】
2013244179.tif 000003
【図２】
2013244179.tif 000004
【図３】
2013244179.tif 000005